(57)【要約】【課題】さや管を整列させて確実に保持できるとともに、ボディ管にさや管を円滑に挿通させることができ、作業性及び施工性に優れたさや管整列保持具及びボディ管を提供する。【解決手段】ロータス管又は他のボディ管１０を受け入れ可能な筒状の受口部と、この受口部と連通して形成された筒部とを有するボディ管１０の内部に配置され、ボディ管１０に挿通される複数のさや管２０を、ボディ管１０の内部で整列しながら保持するさや管整列保持具１であって、複数の環状部材２を有し、且つ、これら複数の環状部材２同士が側面部２ａで接続されることで一体化されてなり、複数の環状部材２の各々にさや管２０を挿通して保持可能に構成される。【選択図】図２
2015198479.tif 000002
【特許請求の範囲】
【請求項１】
ロータス管又は他のボディ管を受け入れ可能な筒状の受口部と、該受口部と連通して形成された筒部とを有するボディ管の内部に配置され、該ボディ管に挿通される複数のさや管を、前記ボディ管の内部で整列しながら保持するさや管整列保持具であって、
複数の環状部材を有し、且つ、該複数の環状部材同士が側面部で接続されることで一体化されてなり、前記複数の環状部材の各々に前記さや管を挿通して保持可能とされていることを特徴とするさや管整列保持具。
【請求項２】
前記複数の環状部材の内の少なくとも一部の前記側面部が、前記ボディ管の内周面に当接するように配置され、前記内周面に保持されることを特徴とする請求項１に記載のさや管整列保持具。
【請求項３】
前記複数の環状部材が、可撓性樹脂シートを環状に形成したものからなることを特徴とする請求項１又は請求項２に記載のさや管整列保持具。
【請求項４】
前記複数の環状部材が、骨組部材によって支持されていることを特徴とする請求項１〜請求項３の何れか一項に記載のさや管整列保持具。
【請求項５】
前記複数の環状部材に、前記複数のさや管に各々対応する属性情報が付与されていることを特徴とする請求項１〜請求項４の何れか一項に記載のさや管整列保持具。
【請求項６】
請求項１〜請求項５の何れか一項に記載のさや管整列保持具により、内部に複数のさや管が整列保持されていることを特徴とするボディ管。
【発明の詳細な説明】
【技術分野】
【０００１】
本発明は、さや管整列保持具およびボディ管に関する。
【背景技術】
【０００２】
近年、情報通信を行うためのネットワーク網の構築にあたっては、通信線がそれぞれ挿通された小径で複数本の樹脂製のさや管を、大径の樹脂製本体管の内部に挿入して構成される通信用管路を地中に埋設することが主流となりつつある。
【０００３】
上述のような通信用管路を用いることで、小さな断面積中に多数の通信線を敷設することができることから、地中の配管量を少なくすることができる。これにより、通信用管路を埋設するための掘削工事等の手間が少なくて済み、工期を短縮することができるとともに、コストを抑えることができるといった利点があることから、上記構成の通信用管路が広く採用されるようになっている。
【０００４】
一般的に、上述のような通信用管路においては、敷設された通信線の点検や、別に敷設された通信線との接続や分岐、あるいは、敷設方向の変更などの作業を必要とする地点にハンドホールが設けられる。通信用管路とハンドホールとを接続する方法としては、例えば、ハンドホールの側壁に形成された貫通孔に本体管ダクトスリーブを固定し、複数本のさや管ダクトスリーブを本体管の内部に挿入して、その一端部を固定板で束ねたロータス管を本体管ダクトスリーブに挿入する方法が従来から採用されている。さらに、ハンドホールに接続される起点用及び終点用のロータス管には、同様の筒状部材からなるボディ管が接続され、順次接続して延長する方法が採用されている。また、このようなボディ管としては、地中障害物を避けて配管する等、通信用管路の経路に柔軟に対応するため、直線で長尺状の直管と、曲線状とされた曲管とが用いられている。
【０００５】
また、上記構成の接続構造に用いられるボディ管やロータス管の通信用管路の寸法や材質等は、規格で規定されている。
【０００６】
ここで、上述のような接続構造を有するボディ管において、このボディ管の内部に挿通される複数本のさや管を整列状態で保持することを目的として、さや管が挿通される複数の孔部が形成された円板状部材からなるさや管整列保持具を、ボディ管の内部に設けることが提案されている（例えば、特許文献１を参照）。特許文献１に記載のさや管整列保持具によれば、例えば、ポリエチレン等の合成樹脂からなる上記構成のさや管整列保持具を備えることにより、ボディ管にさや管を挿通させた際、この複数のさや管同士が挿入側と排出側とで位置ずれが生じることなく、適正位置で保持することが可能となる。また、このようなさや管整列保持具は、通常、複数のさや管をボディ管に挿通させる前に、さや管に取り付けられる。
【０００７】
また、特許文献１に記載されたような、さや管整列保持具としては、例えば、図５（ａ）、（ｂ）に示すような、合成樹脂等からなる円板状部材１０１に複数の孔部１０２が形成された構成のさや管整列保持具１００の他、例えば、パラフィン紙等の積層体や、円板状とされた発泡体に、複数の孔を形成したもの等も従来から用いられている。
【先行技術文献】
【特許文献】
【０００８】
【特許文献１】特開２００３−０４７１１７号公報
【発明の概要】
【発明が解決しようとする課題】
【０００９】
ところで、近年、ボディ管内に効率的にさや管を挿入するために、複数のさや管を密に配置する方式が採用されている。しかしながら、図５（ａ）、（ｂ）に示すような、従来の構成のさや管整列保持具の場合、さや管を挿入する孔部１０２を密に配置することで、外周部側に形成された孔部１０２と、円板状部材１０１の側面部１０３との間で非常に薄い箇所となる薄肉部１０４が発生する。具体的には、この薄肉部１０４の厚さが０．７５ｍｍ程度と極薄となることがある。このため、さや管を孔部１０２に挿通した際に薄肉部１０４に歪みが生じ、さや管を確実に整列保持しながら挿通することが難しくなったり、薄肉部１０４の部分が破断したりする可能性もあった。また、上述のような歪みが側面部１０３に生じた場合には、上記同様、ボディ管内部においてさや管整列保持具１００の引っ掛かり等が生じ、作業性や施工性が低下するという問題もあった。
【００１０】
また、特許文献１に記載のような、従来のボディ管において採用されているさや管整列保持具を用いた場合、さや管とさや管整列保持具とを曲管からなるボディ管の内部に挿通させる際、さや管整列保持具がボディ管内部に装着されたゴムパッキンに引っ掛かることから、さや管整列保持具を配置しない場合に比べて、ボディ管にさや管を通過させ難いという問題があった。
【００１１】
また、曲管からなるボディ管の内部にさや管を奥深く移動させる際、さや管整列保持具の孔部に対して垂直に挿通されているさや管に、斜めに折れ曲がる方向の力が加わるので、さや管がさや管整列保持具の孔部内をスライド移動するのが阻害される。このため、さや管全体の曲げ剛性が強い状態となることから、さや管が曲管からなるボディ管を通過するのが難しいという問題があった。
【００１２】
一方、直管からなるボディ管においては、内部にさや管整列保持具が配置されることで、この複数のさや管の各々の位置番号が確認し易くなり、施工性が向上する利点もある。しかしながら、上述したように、曲管からなるボディ管にさや管を挿通させる場合においては、従来の構成のさや管整列保持具を用いると、特に、ボディ管内においてさや管を密に配置する場合に、施工性が低下してしまうという問題があった。
【００１３】
本発明は上記問題に鑑みてなされたものであり、さや管を整列させて確実に保持できるとともに、ボディ管にさや管を円滑に挿通させることができ、作業性及び施工性に優れたさや管整列保持具及びボディ管を提供することを目的とする。
【課題を解決するための手段】
【００１４】
請求項１に記載の発明は、ロータス管又は他のボディ管を受け入れ可能な筒状の受口部と、該受口部と連通して形成された筒部とを有するボディ管の内部に配置され、該ボディ管に挿通される複数のさや管を、前記ボディ管の内部で整列しながら保持するさや管整列保持具であって、複数の環状部材を有し、且つ、該複数の環状部材同士が側面部で接続されることで一体化されてなり、前記複数の環状部材の各々に前記さや管を挿通して保持可能とされていることを特徴とする。
【００１５】
本発明によれば、複数の環状部材を有するとともに、この複数の環状部材同士が側面部で接続されることで一体化されてなり、複数の環状部材の各々にさや管が挿通保持可能な構成なので、複数のさや管をさや管整列保持具で保持した状態でボディ管に挿通させるにあたり、ボディ管内部に設けられるゴムパッキンの位置をさや管整列保持具が通過する際、さや管整列保持具がフレキシブルに撓むことで、引っ掛かり等が生じることなく、スムーズに挿通させることができる。また、曲管からなるボディ管の内部において、斜めに折れ曲がる方向の力がさや管に加わった場合であっても、各々の環状部材がフレキシブルに撓むことにより、さや管もフレキシブルに動きながら曲管内部を通過することができる。さらに、複数の環状部材が接続された構成なので、例え、環状部材を密に配置した場合であっても、各環状部材の肉厚は均一なので、破断するのを防止でき、また、さや管を円滑に挿通することができる。従って、さや管及びさや管整列保持具が、ボディ管の内部において引っ掛かりや破断等を生じることなく、スムーズな挿通作業が可能となるので、施工現場における作業性及び施工性が向上する。
【００１６】
請求項２に記載の発明は、請求項１に記載のさや管整列保持具であって、前記複数の環状部材の内の少なくとも一部の前記側面部が、前記ボディ管の内周面に当接するように配置され、前記内周面に保持されることを特徴とする。
【００１７】
本発明によれば、複数の環状部材の内の少なくとも一部の側面部が、ボディ管の内周面に当接する構成とすることで、ボディ管の内部において、複数のさや管を確実に保持することが可能となる。
【００１８】
請求項３に記載の発明は、請求項１又は請求項２に記載のさや管整列保持具であって、前記複数の環状部材が、可撓性樹脂シートを環状に形成したものからなることを特徴とする。
【００１９】
本発明によれば、複数の環状部材が、可撓性樹脂シートを環状に形成したものからなる構成なので、さや管整列保持具全体における撓みのフレキシブル性が向上することから、上述したような、ボディ管の内部において引っ掛かりや破断等が生じるのを防止できる効果がより顕著に得られる。
【００２０】
請求項４に記載の発明は、請求項１〜請求項３に記載のさや管整列保持具であって、前記複数の環状部材が、骨組部材によって支持されていることを特徴とする。
【００２１】
本発明によれば、複数の環状部材が、骨組部材によって支持されているので、ボディ管の内部において、複数のさや管を確実に保持することが可能となる。
【００２２】
請求項５に記載の発明は、請求項１〜請求項４に記載のさや管整列保持具であって、前記複数の環状部材に、前記複数のさや管に各々対応する属性情報が付与されていることを特徴とする。
【００２３】
本発明によれば、複数の環状部材に、前記複数のさや管に各々対応する属性情報が付与されていることで、複数のさや管の各々の位置が確認し易くなり、作業性及び施工性が向上する。
【００２４】
請求項６に記載の発明は、ボディ管であって、請求項１〜請求項５の何れか一項に記載のさや管整列保持具により、内部に前記複数のさや管が整列保持されていることを特徴とする。
本発明によれば、上述した請求項１〜３の何れかに記載のさや管整列保持具が用いられ、内部で複数のさや管が整列保持された構成なので、さや管及びさや管整列保持具がボディ管の内部において引っ掛かりや破断等を生じることなく、施工現場における作業性及び施工性に優れたボディ管が実現できる。
【発明の効果】
【００２５】
本発明に係るさや管整列保持具によれば、上記した解決手段によって以下の効果を奏する。
即ち、本発明に係るさや管整列保持具によれば、複数の環状部材を有し、且つ、この複数の環状部材同士が側面部で接続されることで一体化されてなり、複数の環状部材の各々にさや管が挿通保持可能な構成を採用しているので、さや管整列保持具で保持した状態でさや管をボディ管に挿通させるにあたり、ボディ管内部に設けられるゴムパッキンの位置をさや管整列保持具が通過する際、さや管整列保持具がフレキシブルに撓むことで、引っ掛かり等が生じることなく、スムーズに挿通させることができる。また、曲管からなるボディ管の内部において、斜めに折れ曲がる方向の力がさや管に加わった場合であっても、各々の環状部材がフレキシブルに撓むことにより、さや管もフレキシブルに動きながら曲管内部を通過することができる。さらに、環状部材を密に配置した場合であっても、各環状部材の肉厚は均一で極薄箇所が発生することがないので、破断するのを防止でき、また、さや管を円滑に挿通することができる。
従って、さや管及びさや管整列保持具がボディ管の内部において引っ掛かりや破断等を生じることがなく、スムーズな挿通作業が可能となり、施工現場における作業性及び施工性に優れたさや管整列保持具が実現できる。
【００２６】
また、本発明に係るボディ管によれば、上記のさや管整列保持具が内部に設けられ、このさや管整列保持具によって複数のさや管が整列保持されたものなので、ボディ管の内部においてさや管及びさや管整列保持具が引っ掛かりや破断等を生じることなく、施工現場における作業性及び施工性に優れたボディ管が実現できる。
【図面の簡単な説明】
【００２７】
【図１】本発明の一実施形態であるさや管整列保持具及びボディ管を説明する模式図であり、さや管整列保持具で保持された状態の複数のさや管を直管状のボディ管に挿通させた状態を示す断面図である。
【図２】本発明の一実施形態であるさや管整列保持具を説明する模式図であり、図２（ａ）は、複数の環状部材からなるさや管整列保持具を示す平面図、図２（ｂ）は、図２（ａ）に示したさや管整列保持具の斜視図である。
【図３】本発明の一実施形態であるさや管整列保持具を説明する模式図であり、図１中に示すボディ管の内部に挿通された、さや管整列保持具で保持した状態の複数のさや管を示す概略図である。
【図４】本発明の他の実施形態であるさや管整列保持具及びボディ管を説明する模式図であり、さや管整列保持具で保持された状態の複数のさや管を曲管状のボディ管に挿通させた状態を示す断面図である。
【図５】従来のさや管整列保持具を示す図で、図５（ａ）は平面図、図５（ｂ）は斜視図である。
【発明を実施するための形態】
【００２８】
以下、本発明に係るさや管整列保持具、及び、それが用いられたボディ管の一実施形態について、図１〜図４を適宜参照しながらその構成を説明する。なお、以下の説明で用いる図面は、その特徴をわかりやすくするために、便宜上、特徴となる部分を拡大して示している場合があり、各構成要素の寸法比率等は、実際とは異なる場合がある。また、以下の説明において例示される材料、寸法等は一例であって、本発明はそれらに限定されるものではなく、その要旨を変更しない範囲で適宜変更して実施することが可能である。
【００２９】
［さや管整列保持具及びボディ管の構成］
図１は、本実施形態の直管状とされたボディ管１０（１０Ａ）の内部に、本実施形態のさや管整列保持具１で複数のさや管２０を保持して挿通した状態を示す一部断面図である。図２（ａ）は、本実施形態のさや管整列保持具１を平面視して示す模式図であり、図２（ｂ）は斜視図である。また、図３は、図１中に示すボディ管１０（１０Ａ）の内部に挿通された、さや管整列保持具１で保持した状態の複数のさや管２０を示す概略図である。また、図４は、本実施形態の曲管状とされたボディ管１０（１０Ｂ）の内部に、本実施形態のさや管整列保持具１で複数のさや管２０を保持して挿通した状態を示す一部断面図である。
【００３０】
図１に示すように、本実施形態のさや管整列保持具１は、図示略のロータス管、又は、他のボディ管１０を受け入れ可能な筒状の受口部１１と、この受口部１１と連通して形成された筒部１２とを有するボディ管１０の内部に配置され、このボディ管１０に挿通される複数のさや管２０を、ボディ管１０の内部で整列しながら保持するものである。
そして、図２（ａ）、（ｂ）に示すように、本実施形態のさや管整列保持具１は、複数の環状部材２を有し、且つ、これら複数の環状部材２同士が側面部２ａで接続されることで一体化されてなり、複数の環状部材２の各々にさや管２０（図３も参照）を挿通して保持することが可能な構成とされている。
【００３１】
本実施形態のさや管整列保持具１が内部に配置されるボディ管１０は、上述したように、地中に埋設される等の設置形態で通信用管路として用いられるものであり、詳細な図示を省略するが、通常、ダクトスリーブを介してハンドホールに接続される起点用及び終点用のロータス管の間で、複数で連結されて管路を構成するものである。このようなボディ管１０には、各種の通信線を用途別等で配置しながら挿通させるための、長尺に形成された複数のさや管２０が挿通される。このようなボディ管１０としては、図１に例示するような、一般に直管と呼ばれる直管状のボディ管１０Ａと、図３に例示するような、一般に曲管と呼ばれる曲管状のボディ管１０Ｂが上げられ、それぞれ、通信用管路の経路に応じて適宜使い分けられて連結される。
【００３２】
なお、図１及び図４においては、説明の都合上、ロータス管の図示を省略するとともに、内部にさや管整列保持具１で保持された複数のさや管２０が挿通された状態のボディ管１０Ａ、１０Ｂを単体で図示している。
【００３３】
（ボディ管：直管及び曲管）
本実施形態のボディ管１０は、上述した通り、図１に示す直管状のボディ管（直管）１０Ａのように、図示略のロータス管や他のボディ管１０を受け入れ可能な筒状の受口部１１と、この受口部１１と連通して形成された筒部１２とを有してなる筒状（管状）の部材である。即ち、受口部１１は、その開口端１１ａから、ロータス管の筒部や、他のボディ管１０の筒部の端部１２ａを受け入れることで接続可能に構成されるとともに、筒部１２の端部１２ａは、ロータス管の受口部や、他のボディ管１０の受口部１１の開口端１１ａに入り込むことで接続可能に構成されている。これにより、ボディ管１０は、複数で連通するように接続することができ、長尺の管路を構成することが可能とされている。
【００３４】
受口部１１は、図１に示すように、筒部１２の端部１２ａを受け入れ可能とするために、その内径及び外径が、筒部１２に比べて大径に構成されている。
また、受口部１１の開口端１１ａ近傍の内周面１３には環状溝部１４が形成されており、この環状溝部１４には、他のボディ管１０と接続した際に、各ボディ管１０間の固定部材として機能する、環状のゴムパッキン１５が嵌め込まれている。
【００３５】
筒部１２は、図１に示すように、その長さ方向の寸法が受口部１１に比べて長尺とされており、長尺の管路を構成するボディ管１０において、複数のさや管２０を収容して保護する。
【００３６】
ここで、通信用管路に用いられるボディ管１０としては、地中における障害物を避けること等を目的として、図３に例示するような曲管状のボディ管（曲管）１０Ｂも用いられている。即ち、地中において通信用管路を構成する場合には、直管であるボディ管１０Ａと曲管であるボディ管１０Ｂとを適宜組み合わせながら埋設してゆくことで、所望の経路を有する管路とすることができる。
【００３７】
図４に示すボディ管（曲管）１０Ｂも、図１に示すボディ管（直管）１０Ａと同様、ロータス管や他のボディ管１０（１０Ａ、１０Ｂ）を受け入れ可能な筒状の受口部１１と、この受口部１１と連通して形成された筒部１２とを有してなる。このような構成により、曲管であるボディ管１０Ｂは、直管であるボディ管１０Ａと同様、各々のボディ管１０同士で連通するように接続することができ、適宜、迂曲されながら長尺の管路を構成することが可能とされている。
【００３８】
本実施形態のボディ管１０は、例えば、硬質ポリ塩化ビニル樹脂の射出品あるいは加工品として形成されている。
【００３９】
本実施形態のボディ管１０は、詳細を後述する本実施形態のさや管整列保持具１が用いられ、内部で複数のさや管２０が整列保持された構成なので、さや管整列保持具１で整列保持された複数のさや管２０をボディ管１０の内部に挿通させる際、引っ掛かり等が生じることなく、容易に挿通することができる。また、さや管２０を密に配置した場合であっても、さや管整列保持具１に破断等が生じることなく、ボディ管１０の内部に容易に挿通することができる。これにより、通信用管路を埋設する施工現場において、作業性及び施工性が向上するという効果が得られるものである。
【００４０】
（さや管整列保持具）
上述したように、図２（ａ）、（ｂ）に示す本実施形態のさや管整列保持具１は、複数の環状部材２を有し、且つ、これら複数の環状部材２同士が側面部２ａで接続されることで一体化されてなる構成とされている。図示例においては、それぞれ異なる径を有する複数の環状部材２を計１６個備え、それぞれ、近接する環状部材２同士で側面部２ａが、例えば、接着や溶着等によって接続されるか、あるいは、一体成形することによって一体化されている。また、これら複数の環状部材２で構成されるさや管整列保持具１の外郭は、ボディ管１０に挿通されることを考慮し、平面視で概ね円形状とされている。
【００４１】
さや管整列保持具１は、上記構成により、図３に示すように、各々の環状部材２に形成された挿通部２ｂにさや管２０が挿通されることで、複数のさや管２０を、これら各さや管２０の間隔や配置関係等を固定的に保持しながら整列させることができる。図示例のさや管整列保持具１は、環状部材２を計１６個備えているので、計１６本のさや管２０を整列保持できる構成とされている。
【００４２】
さらに、図３に示すような状態でさや管整列保持具１に整列保持された複数のさや管２０は、図１及び図４に示すように、施工現場においてボディ管１０（１０Ａ、１０Ｂ）の内部に挿通される。
【００４３】
上述したように、図２（ａ）、（ｂ）に例示するさや管整列保持具１は、複数の環状部材２が、それぞれ異なる径を有する部材とされている。これは、図３に示すように、一般に、通信用管路においては、挿通される通信線の種類等により、それぞれ異なるさや管２０が用いられていることから、この異なる径にそれぞれ対応するものである。
【００４４】
本実施形態のさや管整列保持具１は、上述のような複数の環状部材２が接続された構成を採用することで、各環状部材２の間に隙間３が形成されている。このような構成により、さや管整列保持具１は、各環状部材２の挿通部２ｂにさや管２０を整列保持させた状態で、ボディ管１０（１０Ａ、１０Ｂ）の内部に挿通された際、ボディ管１０の内部に設けられたゴムパッキン１５の位置を通過するときに、さや管整列保持具１がゴムパッキン１５に当接した場合、各環状部材２がフレキシブルに撓む。また、曲管からなるボディ管１０Ｂの内部において、さや管２０がボディ管１０Ｂの内部に当接して、斜めに折れ曲げる方向の力がさや管２０に加わった場合も、各環状部材２がフレキシブルに撓み、さや管２０もフレキシブルに動きながら曲管内部を通過する。これにより、さや管整列保持具１がゴムパッキン１５に引っ掛かったり、あるいは、さや管２０がボディ管１０の内部に引っ掛かった状態となったりすることがなく、さらに、さや管整列保持具１に破断が生じたりすることなく、スムーズな挿通作業が可能になる。
【００４５】
さらに、さや管整列保持具１は、複数の環状部材２が接続された構成なので、例えば、ボディ管１０内に多くのさや管２０を配置することを目的として、多くの環状部材２を密に配置した場合であっても、各々の環状部材２の挿通部２ｂが形成された径方向の肉厚は均一となる。これにより、環状部材２に破断等が生じるのを防止できるとともに、さや管２０を円滑に挿通することが可能となる。
【００４６】
環状部材２の材質としては、特に限定されないが、上述したような、さや管整列保持具１が撓むことで、ボディ管１０の内部において、さや管整列保持具１及び複数のさや管２０が引っ掛かることなく容易に挿通できるという効果を得るためには、可撓性を有する樹脂材料等から構成されていることが好ましい。このような可撓性樹脂材料としては、例えば、ポリエチレンの他、ポリプロピレン、ナイロン等を例示することができる。
【００４７】
また、本実施形態においては、さや管整列保持具１を構成する複数の環状部材２を、可撓性樹脂シートを環状に形成したものから構成することも可能である。複数の環状部材２を、可撓性樹脂シートを環状に形成した構成とすることで、さや管整列保持具１全体における撓みのフレキシブル性が向上することから、上述したような、ボディ管１０の内部において引っ掛かり等が生じるのを防止できる効果がより顕著に得られる。
【００４８】
また、さや管整列保持具１の厚み、即ち、環状部材２のさや管２０の挿通方向における厚み寸法は、特に限定されないが、上述したような、さや管整列保持具１が撓むことで、ボディ管１０の内部において、さや管整列保持具１及び複数のさや管２０が引っ掛かることなく容易に挿通できるという効果を得るためには、厚すぎない方が望ましい。一方、環状部材２の厚みが薄すぎると、さや管２０を挿通した際に大きく歪んだり、あるいは破断したりする可能性もあることから、この厚み寸法は、１０〜５０ｍｍの範囲とすることがより好ましい。
【００４９】
また、環状部材２の肉厚、即ち、挿通部２ｂが形成された径方向の肉厚としても、特に限定されないが、やはり、上記同様、さや管整列保持具１が撓むことで、ボディ管１０の内部において、さや管整列保持具１及び複数のさや管２０が引っ掛かることなく容易に挿通できるという効果を得るためには、厚すぎない方が望ましい。一方、上記同様、環状部材２の肉厚が薄すぎると、さや管２０を挿通した際に大きく歪んだり、破断したりする可能性もあることから、この肉厚は、０．２〜１．２ｍｍの範囲とすることがより好ましい。
【００５０】
本実施形態においては、複数の環状部材２の内の少なくとも一部の側面部２ａが、ボディ管１０の内周面１３に当接するように配置され、内周面１３によって保持・固定される構成とすることができる。上述したように、図２（ａ）に示す例においては、それぞれ異なる径を有する複数の環状部材２が、それぞれ、近接する環状部材２同士で側面部２ａが接続されることで一体化されるとともに、これら複数の環状部材２で構成されるさや管整列保持具１の外郭が、ボディ管１０に挿通されることを考慮して、概ね円形状となるように構成されている。
【００５１】
本実施形態のさや管整列保持具１は、複数の環状部材２の内の少なくとも一部の側面部２ａが、ボディ管１０の内周面１３に当接する構成とすることで、ボディ管１０の内部において、複数のさや管２０を確実に保持・固定することが可能になる。
【００５２】
また、本実施形態のさや管整列保持具１は、詳細な図示を省略するが、複数の環状部材２が、骨組部材によって支持されている構成を採用することもできる。このように、複数の環状部材２が、例えば、針金状の骨組部材によって支持されることで、ボディ管１０の内部において、複数のさや管２０をより確実に保持することが可能となる。
【００５３】
さらに、本実施形態のさや管整列保持具１は、複数の環状部材２に、複数のさや管２０に各々対応する属性情報が付与されている構成を採用することもできる。このように、複数の環状部材２に、複数のさや管２０に各々対応する図示略の属性情報、即ち、さや管番号や各種配色を付与することで、複数のさや管２９の各々の位置が確認し易くなり、作業性及び施工性が向上する。
【００５４】
［ボディ管への複数のさや管の挿通、及び、ボディ管の接続］
次に、図１〜図４に示すさや管整列保持具１及びボディ管１０（直管１０Ａ、曲管１０Ｂ）を参照しながら、ボディ管１０への複数のさや管２０の挿通、及び、ボディ管１０同士の接続構造及び接続方法を説明する。
【００５５】
上述したように、一般に、図示略のハンドホールは地中に埋設されており、ハンドホールの側壁には貫通孔が形成され、この貫通孔にはダクトスリーブが固定される。図示略のダクトスリーブは、その開口部がハンドホール内部に臨むように、ハンドホールの側壁に取り付けられる。そして、起点部又は終点部となる図示略のロータス管は、ダクトスリーブの開口部側からダクトスリーブの内部に向けて挿入され、固定されている。このようなロータス管は、本実施形態で説明する直管状のボディ管１０Ａと概略同様の構成とされている。
【００５６】
そして、本実施形態においては、図示略のロータス管の受口部に、地中埋設管となるボディ管１０の筒部１２の端部１２ａを挿入して接続し、さらに、ボディ管１０同士の嵌合接続を繰り返すことで、次に接続される図示略のハンドホールに向けて延設する。この際、ボディ管１０同士の接合にあたっては、都度、さや管整列保持具１によって整列保持された複数のさや管２０を挿通する。
【００５７】
本実施形態によれば、上述したように、さや管整列保持具１が複数の環状部材２からなるとともに、これら複数の環状部材２同士が側面部２ａで接続されることで一体化された構成とされている。このような構成のさや管整列保持具１で複数のさや管２０を整列保持し、ボディ管１０に挿通することで、さや管整列保持具１がゴムパッキン１５に引っ掛かったり、あるいは、さや管２０がボディ管１０の内部に引っ掛かった状態となったりすることがなく、スムーズな挿通作業が可能になる。従って、さや管２０及びさや管整列保持具１がボディ管１０の内部において引っ掛かり等を生じることがなく、スムーズな挿通作業が可能となり、施工現場における作業性及び施工性が向上する。
【００５８】
ここで、図２（ａ）、（ｂ）に例示したさや管整列保持具１は、上述のように、合計１６個の環状部材２を有しているが、実際の施工現場においては、挿通保持するさや管２０の本数が、全ての環状部材２を使用する本数には至らないケースもある。このような場合には、例えば、さや管２０の挿通保持には使用しない環状部材２の挿通部２ａに、さや管２０と同様の形状を有する短筒状のダミー管を挿通しておけば、さや管整列保持具１に部分的な折れ曲がり等が生じるのを防止することが可能である。
【００５９】
なお、本発明に係るボディ管１０やさや管２０の接続構造及び接続方法は、上記の一実施形態に限定されるものではなく、施工現場の状況等に応じて、適宜、その接続形態を変形させて実施することも可能である。
【００６０】
［作用効果］
以上説明したように、本発明に係るさや管整列保持具１によれば、上記した構成によって以下の効果を奏する。
即ち、本発明に係るさや管整列保持具１によれば、複数の環状部材２を有し、且つ、この複数の環状部材２同士が側面部２ａで接続されることで一体化されてなり、これら複数の環状部材２の各々にさや管２０を挿通して保持可能な構成を採用しているので、さや管整列保持具１で保持した状態でさや管２０をボディ管１０（１０Ａ、１０Ｂ）に挿通させるにあたり、ボディ管１０の内部に設けられるゴムパッキン１５の位置をさや管整列保持具１が通過する際、さや管整列保持具１がフレキシブルに撓むことで、引っ掛かり等が生じることなく、スムーズに挿通させることができる。また、特に、曲管からなるボディ管１０Ｂの内部において、斜めに折れ曲がる方向の力がさや管２０に加わった場合であっても、各々の環状部材２がフレキシブルに撓むことにより、さや管２０もフレキシブルに動きながら曲管状のボディ管１０Ｂの内部を通過することができる。さらに、複数の環状部材２が接続された構成なので、例え、これら環状部材２を密に配置した場合であっても、各環状部材２の肉厚は均一なので、破断等が生じるのを防止できるとともに、さや管２０を円滑に挿通することができる。
従って、さや管２０及びさや管整列保持具１がボディ管１０（１０Ａ、１０Ｂ）の内部において引っ掛かりや破断等を生じることがなく、スムーズな挿通作業が可能となり、施工現場における作業性及び施工性に優れたさや管整列保持具１を提供できるという優れた効果を奏する。
【００６１】
また、本発明に係るボディ管１０（１０Ａ、１０Ｂ）によれば、上記のさや管整列保持具１が内部に設けられ、このさや管整列保持具１によって複数のさや管２０が整列保持されたものなので、ボディ管１０の内部においてさや管２０及びさや管整列保持具１が引っ掛かりや破断等を生じることなく、施工現場における作業性及び施工性に優れたボディ管１０を提供できるという優れた効果を奏する。
【００６２】
なお、以上説明した各実施形態における各構成及びそれらの組み合わせ等は一例であり、本発明の趣旨を逸脱しない範囲で、構成の付加、省略、置換、及びその他の変更が可能である。また、本発明は各実施形態によって限定されることはなく、特許請求の範囲によってのみ限定される。
【産業上の利用可能性】
【００６３】
本発明に係るさや管整列保持具及びボディ管は、例えば、通信線を内部に挿通して地中に埋設される通信用管路の分野において、幅広く適用可能である。
【符号の説明】
【００６４】
１…さや管整列保持具、２…環状部材、２ａ…側面部、２ｂ…挿通部、３…間隙、１０…ボディ管、１０Ａ…ボディ管（直管）、１０Ｂ…ボディ管（曲管）、１１…受口部、１１ａ…開口端、１２…筒部、１２ａ…端部、１３…内周面、１４…環状溝部、１５…ゴムパッキン、２０…さや管。
【図１】
2015198479.tif 000003
【図２】
2015198479.tif 000004
【図３】
2015198479.tif 000005
【図４】
2015198479.tif 000006
【図５】
2015198479.tif 000007